(57)【特許請求の範囲】
【請求項１】
複数の部分から構成される商品に付随し、前記商品を特定可能な識別情報を記憶する情報記憶手段と、
前記情報記憶手段が記憶する識別情報を読み取る情報読取手段と、
前記情報読取手段が読み取った識別情報を記憶するデータベースと、
前記情報読取手段が読み取った識別情報に基づいて、所定のサービスを提供するサービス提供手段とを備え、
前記情報記憶手段は、前記商品の使用前には、接地線に接続された状態で前記商品に付随していることによって読み取り不能な状態であり、
前記接地線は、前記商品が使用時に複数の部分に分離されると、前記情報記憶手段から切断されることによって前記情報記憶手段が読み取り可能な状態となり、
前記サービス提供手段は、
前記情報記憶手段から読み取った識別情報を情報読取手段から受信する受信手段と、
前記受信手段が受信した識別情報を受信日時に対応付けて前記データベースに記憶させる記憶制御手段と、
前記受信手段が同一の識別情報を複数回受信すると、前記データベースが記憶する当該同一の識別情報のうち受信日時が最も早い識別情報を特定することによって、前記同一の識別情報を最初に送信した情報読取手段がいずれであるかを判断する判断手段と、
前記判断手段が前記同一の識別情報を最初に送信したと判断した情報読取手段に対して、所定のサービスを提供する提供手段とを含む
ことを特徴とする情報提供システム。
【請求項２】
複数の部分から構成される商品に付随し、前記商品を特定可能な識別情報を記憶する情報記憶手段と、
前記情報記憶手段が記憶する識別情報を読み取る情報読取手段と、
前記情報読取手段が読み取った識別情報を記憶するデータベースと、
前記情報読取手段が読み取った識別情報に基づいて、所定のサービスを提供するサービス提供手段とを備え、
前記情報記憶手段は、
前記商品の使用前には、当該情報記憶手段の所定の箇所が短絡された状態で前記商品に付随していることによって読み取り不能な状態であり、
前記商品が使用時に複数の部分に分離されると、前記短絡された所定の箇所が切断されることによって前記情報記憶手段が読み取り可能な状態となり、
前記サービス提供手段は、
前記情報記憶手段から読み取った識別情報を情報読取手段から受信する受信手段と、
前記受信手段が受信した識別情報を受信日時に対応付けて前記データベースに記憶させる記憶制御手段と、
前記受信手段が同一の識別情報を複数回受信すると、前記データベースが記憶する当該同一の識別情報のうち受信日時が最も早い識別情報を特定することによって、前記同一の識別情報を最初に送信した情報読取手段がいずれであるかを判断する判断手段と、
前記判断手段が前記同一の識別情報を最初に送信したと判断した情報読取手段に対して、所定のサービスを提供する提供手段とを含む
ことを特徴とする情報提供システム。
【請求項３】
複数の部分から構成される商品に付随し、前記商品を特定可能な識別情報を記憶する情報記憶手段と、
前記情報記憶手段が記憶する識別情報を読み取る情報読取手段と、
前記情報読取手段が読み取った識別情報を記憶するデータベースと、
前記情報読取手段が読み取った識別情報に基づいて、所定のサービスを提供するサービス提供手段とを備え、
前記情報記憶手段は、
前記商品の使用前には、前記商品の前記複数の部分にまたがった状態で前記商品に付随していることによって、読み取り可能な状態であり、
前記商品が使用時に前記複数の部分に分離されると切断されることによって、前記情報記憶手段が読み取り不能な状態となり、
前記サービス提供手段は、
前記情報記憶手段から読み取った識別情報を情報読取手段から受信する受信手段と、
前記受信手段が受信した識別情報を受信日時に対応付けて前記データベースに記憶させる記憶制御手段と、
前記受信手段が同一の識別情報を複数回受信すると、前記データベースが記憶する当該同一の識別情報のうち受信日時が最も遅い識別情報を特定することによって、前記同一の識別情報を最後に送信した情報読取手段がいずれであるかを判断する判断手段と、
前記判断手段が前記同一の識別情報を最後に送信したと判断した情報読取手段に対して、所定のサービスを提供する提供手段とを含む
ことを特徴とする情報提供システム。
【請求項４】
情報記憶手段は、ＲＦＩＤタグである請求項１から請求項３のうちのいずれか１項に記載の情報提供システム。
【請求項５】
情報記憶手段は、二次元バーコードである請求項３記載の情報提供システム。
【請求項６】
情報記憶手段は、一次元バーコードである請求項３記載の情報提供システム。
【請求項７】
情報記憶手段は、
当該情報記憶手段を構成するアンテナ、ＩＣチップ、又はＩＣチップとアンテナとを接続するボンディングワイヤが接地線に接続され導通されていることによって、当該情報記憶手段が記憶する識別情報の発信を停止し、
商品の使用の際に、前記アンテナ、前記ＩＣチップ、又は前記ボンディングワイヤと前記接地線とが切断されることによって、前記識別情報の発信を開始する
請求項１記載の情報提供システム。
【請求項８】
情報記憶手段は、
当該情報記憶手段を構成するアンテナ、ＩＣチップ、又はＩＣチップとアンテナとを接続するボンディングワイヤの所定の箇所が短絡されていることによって、当該情報記憶手段が記憶する識別情報の発信を停止し、
商品の使用の際に、前記短絡されている所定の箇所が切断されることによって、前記識別情報の発信を開始する
請求項２記載の情報提供システム。
【請求項９】
情報記憶手段は、商品の使用の際に、複数の部分に切断されることによって、当該情報記憶手段が記憶する識別情報の発信を停止する請求項３記載の情報提供システム。
【請求項１０】
情報記憶手段は、識別情報として、当該情報記憶手段を識別するための個体識別情報を記憶する請求項１から請求項３のうちのいずれか１項に記載の情報提供システム。
【請求項１１】
情報読取手段は、携帯電話機である請求項１から請求項３のうちのいずれか１項に記載の情報提供システム。
【請求項１２】
情報読取手段は、パーソナルコンピュータである請求項１から請求項３のうちのいずれか１項に記載の情報提供システム。
【請求項１３】
商品を特定可能な識別情報を記憶し、前記商品の使用前には、接地線に接続された状態で前記商品に付随していることによって読み取り不能な状態である情報記憶手段が、前記商品が使用時に複数の部分に分離されると、前記接地線が切断されることによって読み取り可能な状態となる切断ステップと、
情報読取手段が、前記情報記憶手段が記憶する識別情報を読み取る情報読取ステップと、
情報提供サーバが、前記情報読取手段が読み取った識別情報に基づいて、所定のサービスを提供するサービス提供ステップとを含み、
前記情報提供サーバが、前記サービス提供ステップにおいて、
前記情報記憶手段から読み取った識別情報を情報読取手段から受信し、
受信した識別情報を受信日時に対応付けてデータベースに記憶させ、
同一の識別情報を複数回受信すると、前記データベースが記憶する当該同一の識別情報のうち受信日時が最も早い識別情報を特定することによって、前記同一の識別情報を最初に送信した情報読取手段がいずれであるかを判断し、
前記同一の識別情報を最初に送信したと判断した情報読取手段に対して、所定のサービスを提供する
ことを特徴とする情報提供方法。
【請求項１４】
商品を特定可能な識別情報を記憶し、前記商品の使用前には、所定の箇所が短絡された状態で前記商品に付随していることによって読み取り不能な状態である情報記憶手段が、前記商品が使用時に複数の部分に分離されると、前記短絡された所定の箇所が切断されることによって前記情報記憶手段が読み取り可能な状態となる切断ステップと、
情報読取手段が、前記情報記憶手段が記憶する識別情報を読み取る情報読取ステップと、
情報提供サーバが、前記情報読取手段が読み取った識別情報に基づいて、所定のサービスを提供するサービス提供ステップとを含み、
前記情報提供サーバが、前記サービス提供ステップにおいて、
前記情報記憶手段から読み取った識別情報を情報読取手段から受信し、
受信した識別情報を受信日時に対応付けてデータベースに記憶させ、
同一の識別情報を複数回受信すると、前記データベースが記憶する当該同一の識別情報のうち受信日時が最も早い識別情報を特定することによって、前記同一の識別情報を最初に送信した情報読取手段がいずれであるかを判断し、
前記同一の識別情報を最初に送信したと判断した情報読取手段に対して、所定のサービスを提供する
ことを特徴とする情報提供方法。
【請求項１５】
商品を特定可能な識別情報を記憶し、前記商品の使用前には、前記商品の複数の部分にまたがった状態で前記商品に付随していることによって、読み取り可能な状態である情報記憶手段が、前記商品が使用時に前記複数の部分に分離されると切断されることによって、前記情報記憶手段が読み取り不能な状態となる切断ステップと、
情報読取手段が、前記情報記憶手段が記憶する識別情報を読み取る情報読取ステップと、
情報提供サーバが、前記情報読取手段が読み取った識別情報に基づいて、所定のサービスを提供するサービス提供ステップとを含み、
前記情報提供サーバが、前記サービス提供ステップにおいて、
前記情報記憶手段から読み取った識別情報を情報読取手段から受信し、
受信した識別情報を受信日時に対応付けてデータベースに記憶させ、
同一の識別情報を複数回受信すると、前記データベースが記憶する当該同一の識別情報のうち受信日時が最も遅い識別情報を特定することによって、前記同一の識別情報を最後に送信した情報読取手段がいずれであるかを判断し、
前記同一の識別情報を最後に送信したと判断した情報読取手段に対して、所定のサービスを提供する提供手段とを含む
ことを特徴とする情報提供方法。
【発明の詳細な説明】
【技術分野】
【０００１】
本発明は、ネットワークを介した情報提供サービスを提供する情報提供システム、情報提供サーバ、情報提供方法及び情報提供プログラムに関し、特に、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる情報提供システム、情報提供サーバ、情報提供方法及び情報提供プログラムに関する。
【背景技術】
【０００２】
商品の販売を行う場合、例えば、特定の商品に対してキャンペーンを行い、ある一定の確率で景品が当たるようにして販売促進を行うという方策が採られることがある。この場合、予め店舗に入荷した商品について既にある一定の確率で景品が当たるように決められている場合がある。例えば、特許文献１には、キャンペーン情報等を非接触IＣタグに記録して商品又は商品のパッケージに貼付して出荷することが記載されている。
【０００３】
また、既に入荷済みの商品に対して、店舗側にてキャンペーン用のツールを使用して景品の当選を決定する場合がある。例えば、キャンペーンツールとして、ある一定の確率で景品が当たるように決められたシールが用いられる。
【０００４】
図７は、従来のキャンペーン用のツールを使用して販売促進を行う場合の例を示す説明図である。メーカ又はコンビニエンスストア等のメーカ／チェーン本部１０００は、予めキャンペーンツールを作成し、作成したシール等のキャンペーンツールを店舗１１００側に送付する。店舗１１００側は、キャンペーン対象商品に対して送付されたキャンペーンツールを商品に貼り付ける。顧客９００は、商品を購入した後、例えば、キャンペーンツールがシールである場合、シールを剥がし景品が当たったかどうかを確認する。また、顧客９００は、例えば、キャンペーンツールとしてのシールを１枚又は複数枚集めてメーカ／チェーン本部１０００に送付し、メーカ／チェーン本部１０００側で景品が当たったかどうかを決定してもよい。
【０００５】
顧客９００は、景品が当たった場合、例えば、パーソナルコンピュータ等の端末又は携帯端末を用いて所定のアドレスの入力操作を行うことにより、景品管理サーバ１００１にデータ（シールに付与されたＩＤ、顧客の住所、氏名又は電話番号等）を登録する。メーカ／チェーン本部１０００は、景品配送手段１００２を用いて顧客に対して景品の配送を行う。また、顧客９００の端末から景品管理サーバ１００１に送信されたデータに基づいて顧客データベース１００３を作成し、セールス情報配信や購入層分析等の各種用途に使用する。
【０００６】
また、特許文献２には、ドアを封止しているときにＲＦＩＤデバイスがアンテナ装置に電気的に接続されて送信可能となり、ドアが開かれると電気的接続が解除される電子シールが記載されている。
【０００７】
【特許文献１】特開２００２−８３２５０号公報（第３頁−第５頁、図１）
【特許文献２】特開２００６−１２１３８号公報（段落００１０−００１２、図１−２）
【発明の開示】
【発明が解決しようとする課題】
【０００８】
情報記憶手段（例えば、非接触ＩＣタグ）を商品に付随させて、その情報記憶手段がもつ情報を応募手続きに使用するキャンペーンを開催する場合、情報記憶手段自体に物理的な操作を加えなくても、リーダ又はリーダライタ（Ｒ／Ｗ）を近付けるだけで、情報記憶手段がもつ情報を誰でも取得することができてしまう。そのため、商品を購入する意思のない者が、購入していない商品から応募手続きに必要な情報を取得して、キャンペーンの応募に使用するという不正行為を防ぐことができない。
【０００９】
また、情報記憶手段内の情報は、キャンペーン手続きへの使用の有無にからわらず存在し続け、かつ読み取り可能な状態であり続ける。すなわち、情報記憶手段が記憶する情報は、一度キャンペーンの応募手続きに用いられたとしても消去されずに、何度でも繰り返し読み出すことが可能である。そのため、キャンペーン応募手続きへの使用が一度完了した情報記憶手段内の情報であっても、再度キャンペーン応募に使用されることを防ぐことができない。
【００１０】
また、特許文献２に記載された電子シールを用いれば、ドアが開かれたか否かを検知することが容易となり、コンテナ等の荷物を簡単に識別／管理することができる。しかし、商品に付随する情報記憶手段から不正に情報を取得する行為を防止することはできない。
【００１１】
そこで、本発明は、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる情報提供システム、情報提供サーバ、情報提供方法及び情報提供プログラムを提供することを目的とする。
【課題を解決するための手段】
【００１２】
本発明による情報提供システムは、複数の部分から構成される商品に付随し、商品を特定可能な識別情報を記憶する情報記憶手段（例えば、ＲＦＩＤタグによって実現される）と、情報記憶手段が記憶する識別情報（例えば、ＵＩＤ）を読み取る情報読取手段（例えば、顧客１００によって実現される）と、情報読取手段が読み取った識別情報を記憶するデータベースと、情報読取手段が読み取った識別情報に基づいて、所定のサービスを提供（例えば、景品の抽選、通信ネットワークを介した情報配信）するサービス提供手段（例えば、キャンペーン管理サーバ２０１によって実現される）とを備え、情報記憶手段は、商品の使用前には、接地線（例えば、接地線５０１）に接続された状態で商品に付随していることによって読み取り不能な状態であり、接地線は、商品が使用時に複数の部分に分離されると、情報記憶手段から切断されることによって情報記憶手段が読み取り可能な状態となり、サービス提供手段は、情報記憶手段から読み取った識別情報を情報読取手段から受信する受信手段と、受信手段が受信した識別情報を受信日時に対応付けてデータベースに記憶させる記憶制御手段と、受信手段が同一の識別情報を複数回受信すると、データベースが記憶する当該同一の識別情報のうち受信日時が最も早い識別情報を特定することによって、同一の識別情報を最初に送信した情報読取手段がいずれであるかを判断する判断手段と、判断手段が同一の識別情報を最初に送信したと判断した情報読取手段に対して、所定のサービスを提供する提供手段とを含むことを特徴とする。
【００１３】
また、情報提供システムは、複数の部分から構成される商品に付随し、商品を特定可能な識別情報を記憶する情報記憶手段と、情報記憶手段が記憶する識別情報を読み取る情報読取手段と、情報読取手段が読み取った識別情報を記憶するデータベースと、情報読取手段が読み取った識別情報に基づいて、所定のサービスを提供するサービス提供手段とを備え、情報記憶手段は、商品の使用前には、当該情報記憶手段の所定の箇所が短絡された状態で商品に付随していることによって読み取り不能な状態であり、商品が使用時に複数の部分に分離されると、短絡された所定の箇所が切断されることによって情報記憶手段が読み取り可能な状態となり、サービス提供手段は、情報記憶手段から読み取った識別情報を情報読取手段から受信する受信手段と、受信手段が受信した識別情報を受信日時に対応付けてデータベースに記憶させる記憶制御手段と、受信手段が同一の識別情報を複数回受信すると、データベースが記憶する当該同一の識別情報のうち受信日時が最も早い識別情報を特定することによって、同一の識別情報を最初に送信した情報読取手段がいずれであるかを判断する判断手段と、判断手段が同一の識別情報を最初に送信したと判断した情報読取手段に対して、所定のサービスを提供する提供手段とを含むものであってもよい。
【００１４】
また、情報提供システムは、複数の部分から構成される商品に付随し、商品を特定可能な識別情報を記憶する情報記憶手段と、情報記憶手段が記憶する識別情報を読み取る情報読取手段と、情報読取手段が読み取った識別情報を記憶するデータベースと、情報読取手段が読み取った識別情報に基づいて、所定のサービスを提供するサービス提供手段とを備え、情報記憶手段は、商品の使用前には、商品の複数の部分にまたがった状態で商品に付随していることによって、読み取り可能な状態であり、商品が使用時に複数の部分に分離されると切断されることによって、情報記憶手段が読み取り不能な状態となり、サービス提供手段は、情報記憶手段から読み取った識別情報を情報読取手段から受信する受信手段と、受信手段が受信した識別情報を受信日時に対応付けてデータベースに記憶させる記憶制御手段と、受信手段が同一の識別情報を複数回受信すると、データベースが記憶する当該同一の識別情報のうち受信日時が最も遅い識別情報を特定することによって、同一の識別情報を最後に送信した情報読取手段がいずれであるかを判断する判断手段と、判断手段が同一の識別情報を最後に送信したと判断した情報読取手段に対して、所定のサービスを提供する提供手段とを含むものであってもよい。
【００１５】
また、情報提供システムにおいて、情報記憶手段は、ＲＦＩＤタグであってもよい。
【００１６】
また、情報提供システムにおいて、情報記憶手段は、二次元バーコードであってもよい。
【００１７】
また、情報提供システムにおいて、情報記憶手段は、一次元バーコードであってもよい。
【００１８】
また、情報提供システムにおいて、情報記憶手段は、当該情報記憶手段を構成するアンテナ、ＩＣチップ、又はＩＣチップとアンテナとを接続するボンディングワイヤが接地線に接続され導通されていることによって、当該情報記憶手段が記憶する識別情報の発信を停止し、商品の使用の際に、アンテナ、ＩＣチップ、又はボンディングワイヤと接地線とが切断されることによって、識別情報の発信を開始するものであってもよい。
【００１９】
また、情報提供システムにおいて、情報記憶手段は、当該情報記憶手段を構成するアンテナ、ＩＣチップ、又はＩＣチップとアンテナとを接続するボンディングワイヤの所定の箇所が短絡されていることによって、当該情報記憶手段が記憶する識別情報の発信を停止し、商品の使用の際に、短絡されている所定の箇所が切断されることによって、識別情報の発信を開始するものであってもよい。
【００２０】
また、情報提供システムにおいて、情報記憶手段は、商品の使用の際に、複数の部分に切断されることによって、当該情報記憶手段が記憶するものであってもよい。
【００２１】
また、情報提供システムにおいて、情報記憶手段は、識別情報として、当該情報記憶手段を識別するための個体識別情報を記憶するものであってもよい。
【００２２】
また、情報提供システムにおいて、情報読取手段は、携帯電話機であってもよい。
【００２３】
また、情報提供システムにおいて、情報読取手段は、パーソナルコンピュータであってもよい。
【００２８】
本発明による情報提供方法は、商品を特定可能な識別情報を記憶し、商品の使用前には、接地線に接続された状態で商品に付随していることによって読み取り不能な状態である情報記憶手段が、商品が使用時に複数の部分に分離されると、接地線が切断されることによって読み取り可能な状態となる切断ステップと、情報読取手段が、情報記憶手段が記憶する識別情報を読み取る情報読取ステップと、情報提供サーバが、情報読取手段が読み取った識別情報に基づいて、所定のサービスを提供するサービス提供ステップとを含み、情報提供サーバが、サービス提供ステップにおいて、情報記憶手段から読み取った識別情報を情報読取手段から受信し、受信した識別情報を受信日時に対応付けてデータベースに記憶させ、同一の識別情報を複数回受信すると、データベースが記憶する当該同一の識別情報のうち受信日時が最も早い識別情報を特定することによって、同一の識別情報を最初に送信した情報読取手段がいずれであるかを判断し、同一の識別情報を最初に送信したと判断した情報読取手段に対して、所定のサービスを提供することを特徴とする。
【００２９】
また、情報提供方法は、商品を特定可能な識別情報を記憶し、商品の使用前には、所定の箇所が短絡された状態で商品に付随していることによって読み取り不能な状態である情報記憶手段が、商品が使用時に複数の部分に分離されると、短絡された所定の箇所が切断されることによって情報記憶手段が読み取り可能な状態となる切断ステップと、情報読取手段が、情報記憶手段が記憶する識別情報を読み取る情報読取ステップと、情報提供サーバが、情報読取手段が読み取った識別情報に基づいて、所定のサービスを提供するサービス提供ステップとを含み、情報提供サーバが、サービス提供ステップにおいて、情報記憶手段から読み取った識別情報を情報読取手段から受信し、受信した識別情報を受信日時に対応付けてデータベースに記憶させ、同一の識別情報を複数回受信すると、データベースが記憶する当該同一の識別情報のうち受信日時が最も早い識別情報を特定することによって、同一の識別情報を最初に送信した情報読取手段がいずれであるかを判断し、同一の識別情報を最初に送信したと判断した情報読取手段に対して、所定のサービスを提供するものであってもよい。
【００３０】
また、情報提供方法は、商品を特定可能な識別情報を記憶し、商品の使用前には、商品の複数の部分にまたがった状態で商品に付随していることによって、読み取り可能な状態である情報記憶手段が、商品が使用時に複数の部分に分離されると切断されることによって、情報記憶手段が読み取り不能な状態となる切断ステップと、情報読取手段が、情報記憶手段が記憶する識別情報を読み取る情報読取ステップと、情報提供サーバが、情報読取手段が読み取った識別情報に基づいて、所定のサービスを提供するサービス提供ステップとを含み、情報提供サーバが、サービス提供ステップにおいて、情報記憶手段から読み取った識別情報を情報読取手段から受信し、受信した識別情報を受信日時に対応付けてデータベースに記憶させ、同一の識別情報を複数回受信すると、データベースが記憶する当該同一の識別情報のうち受信日時が最も遅い識別情報を特定することによって、同一の識別情報を最後に送信した情報読取手段がいずれであるかを判断し、同一の識別情報を最後に送信したと判断した情報読取手段に対して、所定のサービスを提供する提供手段とを含むものであってもよい。
【００３３】
上記のような構成によって、顧客が店舗／メーカから商品及び商品に付随する情報記憶手段内の情報を購入し、その後、顧客が店舗／メーカに対して商品に付随する情報記憶手段内の情報を送信し、その対価として顧客が店舗／メーカからサービスを享受する機会を得るという価値の交換を必ず行うことを実現することができる。
【発明の効果】
【００３４】
本発明によれば、情報記憶手段は、商品の使用前には、接地線に接続された状態で商品に付随していることによって読み取り不能な状態であり、商品が使用時に複数の部分に分離されると、接地線が情報記憶手段から切断されることによって情報記憶手段が読み取り可能な状態となる。商品の開封操作を行うことによって情報記憶手段から識別情報の読み取りが可能となるので、商品を正規に購入した顧客のみがキャンペーンに応募することができる。従って、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる。
【００３５】
また、本発明によれば、情報記憶手段は、商品の使用前には、所定の箇所が短絡された状態で商品に付随していることによって読み取り不能な状態であり、商品が使用時に複数の部分に分離されると、短絡された箇所が切断されることによって情報記憶手段が読み取り可能な状態となる。商品の開封操作を行うことによって情報記憶手段から識別情報の読み取りが可能となるので、商品を正規に購入した顧客のみがキャンペーンに応募することができる。従って、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる。
【００３６】
また、本発明によれば、情報記憶手段は、商品の使用前には、商品の複数の部分にまたがった状態で商品に付随していることによって、読み取り可能な状態であり、商品が使用時に複数の部分に分離されると切断されることによって、情報記憶手段が読み取り不能な状態となる。商品の開封操作を行うことによって情報記憶手段から識別情報の読み取りができなくなるので、商品を正規に購入した顧客がキャンペーンに応募した後には、同じ識別情報を用いてキャンペーンに応募することができなくなる。従って、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる。
【００３７】
また、本発明によれば、商品を購入する意思のない者が購入していない商品に付随する情報記憶手段内の情報を取得してキャンペーンの応募に使用する行為や、キャンペーン応募手続きへの使用が完了した情報記憶手段内の情報が、再度キャンペーン応募に使用されることを防止することができる。そのようにすることによって、購入した商品や贈与された商品等を使用する者にのみキャンペーンへの参加資格を与えることができる。そのような効果は、商品に付随する情報記憶手段が、商品の開封と同時に、情報記憶手段内の情報を発信する機能を停止したり、回復したりすることに起因する。
【発明を実施するための最良の形態】
【００３８】
以下、本発明の実施の形態について図面を参照して説明する。なお、本実施の形態では、商品に取り付けられた情報記憶手段から情報を読み取る情報読取手段が、携帯電話機である場合を説明する。
【００３９】
図１は、本発明による情報提供システムの構成の一例を示すブロック図である。図１に示すように、情報提供提供システムは、顧客１００が使用する携帯電話機１０１と、店舗／メーカ２００が運営するキャンペーン管理サーバ２０１、景品配送手段２０３及び顧客データベース２０２とを含む。また、携帯電話機１０１とキャンペーン管理サーバ２０１とは、携帯電話網やインターネット等の通信ネットワークを介して接続される。
【００４０】
キャンペーン管理サーバ２０１は、店舗／メーカ２００が運営するサーバであり、具体的には、ワークステーションやパーソナルコンピュータ等の情報処理装置によって実現される。キャンペーン管理サーバ２０１は、通信ネットワークを介して、携帯電話機１０１の顧客１００に対して各種サービスを提供する機能を備える。本実施の形態では、キャンペーン管理サーバ２０１は、携帯電話機１０１からの要求に応じて、顧客１００の携帯電話機１０１に対して、通信ネットワークを介して各種情報を配信する情報提供サービスを提供する。また、キャンペーン管理サーバ２０１は、顧客１００の操作に従ってアクセスのあった携帯電話機１０１からの要求に応じて、顧客１００に対してキャンペーンの応募手続きを行う処理を実行する機能を備える。
【００４１】
応募手続きの処理において、具体的には、キャンペーン管理サーバ２０１は、キャンペーン対象商品に付随している（例えば、取り付けられている）情報記憶手段３０２に記憶されている情報の送信を、顧客１００の携帯電話機１０１に対して要求する。また、キャンペーン管理サーバ２０１は、氏名や住所、電子メールアドレス等のキャンペーン応募手続きに必要な情報の送信を、顧客１００の携帯電話機１０１に対して要求する。また、キャンペーン管理サーバ２０１は、その後、顧客１００の携帯電話機１０１から送信されてきた情報のうち、氏名等の顧客１００の属性を示す顧客情報を顧客データベース２０２に送信し登録する。そして、キャンペーン管理サーバ２０１は、キャンペーンの景品が当たったか否かを示す結果等を、顧客データベース２０２や景品配送手段２０３に送信する。
【００４２】
図２は、キャンペーン管理サーバ２０１の構成の一例を示すブロック図である。図２に示すように、キャンペーン管理サーバ２０１は、ＩＤ受信手段２１１、顧客情報受信手段２１２、顧客情報登録手段２１３及び抽選処理手段２１４を含む。
【００４３】
ＩＤ受信手段２１１は、具体的には、プログラムに従って動作する情報処理装置のＣＰＵ及びネットワークインタフェース部によって実現される。ＩＤ受信手段２１１は、所定の識別情報を、通信ネットワークを介して携帯電話機１０１から受信する機能を備える。例えば、ＩＤ受信手段２１１は、ＵＩＤ（例えば、情報記憶手段であるＲＦＩＤタグのUnique ID ）を、識別情報として携帯電話機１０１から受信する。また、例えば、ＩＤ受信手段２１１は、商品に取り付けられる情報記憶手段の個体識別情報（例えば、製造番号）を、識別情報として携帯電話機１０１から受信する。また、例えば、ＪＡＮ（Japanese Article Number ）コードや商品のシリアル番号を、識別情報として携帯電話機１０１から受信する。
【００４４】
顧客情報受信手段２１２は、具体的には、プログラムに従って動作する情報処理装置のＣＰＵ及びネットワークインタフェース部によって実現される。顧客情報受信手段２１２は、顧客１００の住所や氏名、年齢、電子メールアドレス等を含む顧客情報を、通信ネットワークを介して携帯電話機１０１から受信する機能を備える。
【００４５】
顧客情報登録手段２１３は、具体的には、プログラムに従って動作する情報処理装置のＣＰＵによって実現される。顧客情報登録手段２１３は、顧客情報受信手段２１２が受信した顧客情報の登録処理を行う機能を備える。この場合、顧客情報登録手段２１２は、顧客情報を、ＩＤ受信手段２１１が受信した識別情報に対応付けて顧客データベース２０２に記憶させる。
【００４６】
抽選処理手段２１４は、具体的には、プログラムに従って動作する情報処理装置のＣＰＵによって実現される。抽選処理手段２１４は、キャンペーンにおける景品の抽選処理を実行する機能を備える。本実施の形態では、抽選処理手段２１４は、顧客データベース２０２が蓄積する顧客情報及び識別情報に基づいて、いずれの顧客１００が景品に当選したか否かを判定する。
【００４７】
また、抽選処理手段２１４は、景品の抽選結果を顧客データベース２０２に記憶させる機能を備える。また、抽選処理手段２１４は、景品の抽選結果を景品配送手段２０３に送信する機能を備える。
【００４８】
顧客データベース２０２は、具体的には、磁気ディスク装置や光ディスク装置等のデータベース装置によって実現される。また、顧客データベース２０２は、キャンペーン管理サーバ２０１及び景品配送手段２０３に接続される。
【００４９】
なお、顧客データベース２０２は、データベースサーバであってもよい。また、この場合、顧客データベース２０２は、ＬＡＮ等の社内ネットワークを介して、キャンペーン管理サーバ２０１及び景品配送手段２０３と接続されていてもよい。そして、顧客データベース２０２は、社内ネットワークを介して、キャンペーン管理サーバ２０１や景品配送手段２０３と各種情報を送受信してもよい。
【００５０】
顧客データベース２０２は、キャンペーン管理サーバ２０１から受信（又は入力）した顧客情報を蓄積する。本実施の形態では、顧客データベース２０２は、顧客情報を、所定の識別情報（例えば、ＵＩＤ）及び受信日時に対応付けて記憶する。また、顧客データベース２０２は、キャンペーン管理サーバ２０１から受信（又は入力）したキャンペーンの景品の当選結果等の情報に基づいて、景品の配送処理に必要な顧客情報を景品配送手段２０３に送信（出力）する機能を備える。
【００５１】
景品配送手段２０３は、店舗／メーカ２００が運営するサーバ又は端末であり、例えば、店舗／メーカ２００の配送部門に設置される。景品配送手段２０３は、具体的には、パーソナルコンピュータ等の情報処理端末によって実現される。
【００５２】
景品配送手段２０３は、店舗／メーカ２００内においてキャンペーン管理サーバ２０１及び顧客データベース２０２と接続され、キャンペーン管理サーバ２０１と各種情報を送受信する機能を備える。また、景品配送手段２０３は、顧客データベース２０２が蓄積する顧客情報を抽出する機能を備える。
【００５３】
なお、景品配送手段２０３は、例えば、店舗／メーカ２００内に構築されるＬＡＮ等の社内ネットワークを介して、キャンペーン管理サーバ２０１及び顧客データベース２０２と接続されてもよい。そして、景品配送手段２０３は、社内ネットワークを介して、キャンペーン管理サーバ２０１や顧客データベース２０２と各種情報を送受信してもよい。
【００５４】
景品配送手段２０３は、キャンペーン管理サーバ２０１や顧客データベース２０２から受信（又は入力）したデータに基づいて、景品の各種配送処理を行う機能を備える。例えば、景品配送手段２０３は、ディスプレイ装置等の表示装置に景品の配送を指示する旨の表示画面を表示し、配送部門の担当者に顧客１００への景品の送付を促す。また、景品が電子データ（例えば、壁紙データ）である場合、景品配送手段２０３は、景品としての電子データを、通信ネットワークを介して携帯電話機１０１に送信してもよい。
【００５５】
顧客１００の携帯電話機１０１は、入力手段１０２、読取手段１０３、送受信手段１０４、表示手段１０５及び制御手段１０６とを含む。 なお、図１では、１つの携帯電話機１０１を示しているが、情報提供システムは、複数の携帯電話機１０１を含んでもよい。
【００５６】
入力手段１０２は、具体的には、携帯電話機１０１のキー操作部である。入力手段１０２は、顧客１００の操作に従って、各種情報を入力する機能を備える。また、入力手段１０２は、入力した情報を制御手段１０６、表示手段１０５及び送受信手段１０４に出力する機能を備える。
【００５７】
読取手段１０３は、ＲＦＩＤリーダやカードリーダ等の情報読取装置によって実現される。また、読取手段１０３は、商品に貼付された二次元バーコード（例えば、ＱＲコード）の情報を読み取る場合、カメラであってもよい。読取手段１０３は、顧客１００の操作に従って、キャンペーン対象商品に付随している情報記憶手段に記憶されている情報を読み取る機能を備える。例えば、顧客１００が携帯電話機１０１の読取手段１０３を、情報記憶手段であるＲＦＩＤタグやＩＣタグにかざすと、読取手段１０３は、情報記憶手段から情報を読み取る。また、読取手段１０３は、制御手段１０６の指示に従って、情報記憶手段から読み取った情報を、送受信手段１０４や表示手段１０５に出力する機能を備える。
【００５８】
送受信手段１０４は、通信ネットワークを介して、キャンペーン管理サーバ２０１と各種情報を送受信する機能を備える。本実施の形態では、送受信手段１０４は、制御手段１０６の指示に従って、読取手段１０３や入力手段１０２から入力した情報を、通信ネットワークを介してキャンペーン管理サーバ２０１に送信する。また、送受信手段１０４は、キャンペーン管理サーバ２０１から、通信ネットワークを介して、キャンペーン応募手続きに関する各種情報を受信する。
【００５９】
表示手段１０５は、具体的には、携帯電話機１０１の液晶表示部等の表示部である。表示手段１０５は、制御手段１０６の指示に従って、入力手段１０２、読取手段１０３及び送受信手段１０４から入力した情報を表示する機能を備える。
【００６０】
制御手段１０６は、具体的には、プログラムに従って動作する携帯電話機１０１のＣＰＵ及びメモリによって実現される。制御手段１０６は、入力手段１０２、読取手段１０３、送受信手段１０４及び表示手段１０５から入力した情報に基づいて、必要な指示情報を入力手段１０２、読取手段１０３、送受信手段１０４及び表示手段１０５に出力し制御する機能を備える。
【００６１】
なお、本実施の形態において、キャンペーン管理サーバ２０１の記憶装置は、顧客１００に対して各種情報提供サービスを提供するための情報提供プログラムを記憶している。例えば、キャンペーン管理サーバ２０１の記憶装置は、コンピュータに、情報記憶手段から読み取った識別情報を情報読取手段から受信する処理と、同一の識別情報を複数回受信すると、識別情報を最初に送信した情報読取手段がいずれであるかを判断する処理と、識別情報を最初に送信したと判断した情報読取手段に対して、所定のサービスを提供する処理とを実行させるための情報提供プログラムを記憶している。
【００６２】
次に、情報提供システムを用いて、通信ネットワークを介して各種情報を提供する情報提供サービスの概念を説明する。図３は、情報提供システムを用いて提供される情報提供サービスの例を示す説明図である。
【００６３】
図３に示すように、情報提供サービスにおいて、顧客７００と店舗／メーカ８００とが存在する。顧客７００は、情報提供サービスの提供を受けるために、情報記憶手段７０１と情報読取手段７０２とを用いる。本実施の形態では、情報記憶手段７０１は、店舗／メーカ７００から購入した商品に付属されており、商品個々を特定可能な識別情報を予め記憶している。
【００６４】
情報読取手段（例えば、携帯電話機）７０２は、顧客７００の操作に従って、情報記憶手段７０１に記憶されている情報を読み取る。また、情報読取手段７０２は、顧客７００が店舗／メーカ８００からサービスの提供を享受する代価として、店舗／メーカ８００に対して、商品情報（例えば、店舗／メーカ８００の商品の評価情報）の送信を行う。なお、この場合、情報読取手段７０２は、情報記憶手段７０１から読み取った情報を用いて、商品情報の送信を行う。
【００６５】
店舗／メーカ８００は、サービス提供手段（例えば、店舗／メーカ８００が運営するサーバ）８０１を用いる。サービス提供手段８０１は、顧客７００の情報読取手段７０２から商品情報を受信したことに基づいて、代価としてのサービスの提供（例えば、店舗／メーカ８００の新製品に関する情報配信）を行う。 
【００６６】
次に、動作について説明する。本実施の形態では、キャンペーン対象商品に、情報記憶手段としてＲＦＩＤタグが付随されている場合を説明する。また、本実施の形態では、ＲＦＩＤタグが記憶するＵＩＤを、商品個々を特定する識別情報として使用する例を説明する。また、顧客１００は、情報読取手段として、読取手段１０３を含む携帯電話機１０１を所持している例を説明する。
【００６７】
なお、情報記憶手段は、ＵＩＤを記憶する場合に限らず、商品個々を特定可能な識別情報であれば、例えば、ＪＡＮコードや各商品のシリアル番号等の情報を記憶してもよい。また、情報記憶手段は、ＲＦＩＤタグに限らず、例えば、二次元バーコード（例えば、ＱＲコード）であってもよい。さらに、情報記憶手段は、キャンペーン応募手続きについての指示情報や、キャンペーン管理サーバ２０１にアクセスするための所定のアドレス（例えば、ＵＲＬ）等を記憶してもよい。
【００６８】
図４は、情報記憶手段が付随されている商品の一例を示す説明図である。なお、本実施の形態において、「付随する」とは、情報記憶手段が商品に内蔵していたり、商品の表面に貼り付けられていたり、商品の表面から吊り下げられていたりする等、情報記憶手段が商品に付属していることが明らかな状態をいう。
【００６９】
本実施の形態では、図４に示すように、キャンペーン対象商品であるペットボトル飲料容器のふた４００に、情報記憶手段５００が付随されている例を説明する。本実施の形態では、図４（ａ）に示すように、情報記憶手段５００を構成しているアンテナ、ＩＣチップの回路、又はＩＣチップとアンテナとを繋ぐボンディングワイヤに接地線５０１が接続され導通されている。また、接地線５０１は、ペットボトル飲料容器３００に付随している。
【００７０】
図４（ａ）に示すように、商品購入前の段階では、情報記憶手段５００は、接地線５０１で接地された状態で商品に付随している。そのため、情報記憶手段５００がリーダ又はリーダライタ（Ｒ／Ｗ）から電波や電磁波を受信しても、ＩＣチップを機能させるための電流が発生せず、ＩＣチップに電流が供給されない。従って、商品購入前の段階では、情報記憶手段５００は正常に機能せず、リーダ又はＲ／Ｗ等を用いても、情報記憶手段５００内の識別情報を読み出すことができない。そのようにすることにより、例えば、購入して開封する以前の段階にあるキャンペーン対象商品に付随する情報記憶手段５００内の識別情報を読み取り、キャンペーン応募手続きに使用するという行為を防ぐことができる。
【００７１】
また、顧客１００が商品を購入し、ふた４００をペットボトル飲料容器３００から取って開封すると、図４（ｂ）に示すように、情報記憶手段５００から接地線５０１が切断される。すなわち、接地線５０１は、商品が使用時に複数の部分に分離されると、情報記憶手段５００から切断される。そして、接地線５０１が切断されることによってＩＣチップに電流供給が可能となり、リーダやリーダライタからの電波や電磁波を受信可能となる。そのようにすることにより、顧客１００が正規に商品を購入し開封すれば、情報記憶手段５００内の識別情報を利用可能となり、キャンペーンに応募することが可能となる。
【００７２】
なお、本実施の形態では、情報記憶手段５００がペットボトル飲料容器のふた４００に付随され、接地線５０１がペットボトル飲料容器３００に付随されている場合を説明するが、商品に情報記憶手段５００を付随させる態様は、本実施の形態で示したものに限られない。例えば、情報記憶手段５００がペットボトル飲料容器３００に付随され、接地線５０１がペットボトル飲料容器のふた４００に付随されていてもよい。
【００７３】
また、本実施の形態では、情報記憶手段５００を構成しているアンテナ、ＩＣチップの回路、又はＩＣチップとアンテナとを繋ぐボンディングワイヤに接地線５０１が接続され導通されることによって、情報記憶手段５００の機能を停止させる場合を説明するが、情報記憶手段５００の機能を停止させる方法は、本実施の形態で示したものに限られない。例えば、情報記憶手段５００を構成しているアンテナ、ＩＣチップの回路、又はＩＣチップとアンテナとを繋ぐボンディングワイヤのうち、任意の箇所を銅線等で接続してもよい。そして、銅線等で接続することによって、電気的に短絡させて情報記憶手段５００の機能を停止させてもよい。すなわち、情報記憶手段５００は、所定の箇所が短絡された状態で商品に付随し、商品が使用時に複数の部分に分離されると、短絡された箇所が切断されてもよい。
【００７４】
また、本実施の形態では、情報記憶手段５００を付随させる商品がペットボトル飲料容器３００である場合を例に説明するが、情報記憶手段５００を付随する商品は、ペットボトル飲料容器３００に限られない。例えば、ペットボトル飲料容器３００以外にも、情報記憶手段５００を、缶容器や、開封時に分離部分を生じさせるようなプラスチック容器又は紙容器、開封時に形状の変形を生じさせるような容器類等に付随させてもよい。
【００７５】
図５は、携帯電話機１０１からの応募に応じて景品を顧客１００に配送する処理の一例を示す流れ図である。まず、顧客１００は、キャンペーン対象商品であるペットボトル飲料容器３００を購入する（ステップＳ１）。そして、顧客１００は、購入したペットボトル飲料容器３００を開封する（ステップＳ２）。
【００７６】
ペットボトル飲料容器３００を開封することによって、ペットボトル飲料容器３００とペットボトル飲料容器のふた４００とが分離される。その結果、ペットボトル飲料容器のふた４００に付随している情報記憶手段５００と、情報記憶手段５００の機能を停止させており、かつペットボトル飲料容器３００に付随している接地線５０１が切断される。そして、接地線５０１が切断されることによって、情報記憶手段５００内のＩＣチップに電流が正常に供給されるようになる。
【００７７】
情報記憶手段５００は、電流の供給が可能となり、その機能を回復する（ステップＳ３）。そして、リーダ又はリーダライタ（Ｒ／Ｗ）等を用いて、情報記憶手段５００内の識別情報を読み出すことが可能となる。
【００７８】
顧客１００は、所持する携帯電話機１０１の読取手段１０３を用いて、機能を回復した情報記憶手段５００内の識別情報の読み取り操作を行う。例えば、携帯電話機１０１の読取手段１０３を、ペットボトル飲料容器３００の情報記憶手段５００にかざす。すると、携帯電話機１０１の読取手段１０３は、顧客１００の操作に従って、情報記憶手段５００から識別情報（本例では、ＵＩＤ）を読み取る（ステップＳ４）。
【００７９】
また、携帯電話機１０１は、例えば、顧客１００の操作に従って、入力手段１０２から所定のアドレス（例えば、キャンペーン管理サーバ２０１のＵＲＬ）を入力することにより、キャンペーン管理サーバ２０１にアクセスする。また、携帯電話機１０１は、例えば、キャンペーン管理サーバ２０１より提示されたキャンペーン応募手続きに従って、情報記憶手段５００から読み取った識別情報を、通信ネットワークを介してキャンペーン管理サーバ２０１に送信する（ステップＳ５）。
【００８０】
なお、キャンペーン管理サーバ２０１に顧客１００の携帯電話機１０１がアクセスする方法として、例えば、キャンペーン管理サーバ２０１のインターネット上でのアドレス（例えば、ＵＲＬ）を情報記憶手段５００が記憶していてもよい。そして、携帯電話機１０１は、情報記憶手段５００から読み取ったアドレスに従って、キャンペーン管理サーバ２０１にアクセスしてもよい。
【００８１】
また、例えば、情報記憶手段５００は、キャンペーン管理サーバ２０１のアドレスに顧客１００の携帯電話機１０１を誘導するためのアプリケーション等を記憶していてもよい。そして、携帯電話機１０１の制御手段１０６は、情報記憶手段５００から読み取ったアプリケーションに従って、処理を実行してもよい。
【００８２】
また、本実施の形態では、顧客１００が読取手段１０３を含む携帯電話機１０１を所持しており、携帯電話機１０１を情報記憶手段５００内の識別情報の読み取りやキャンペーン用情報の送受信に用いている場合を説明するが、情報読取手段は、携帯電話機１０１以外の手段であってもよい。例えば、顧客１００は、読取手段を含むＰＯＳ端末やパーソナルコンピュータ等の情報処理端末を、情報読取手段として、情報記憶手段５００内の識別情報の読み取りやキャンペーン用情報の送受信に用いてもよい。
【００８３】
キャンペーン管理サーバ２０１のＩＤ受信手段２１１は、情報記憶手段５００から読み取った識別情報を、通信ネットワークを介して携帯電話機１０１から受信する。キャンペーン管理サーバ２０１の抽選処理手段２１４は、顧客１００の携帯電話機１０１から受信した識別情報に基づいて、キャンペーンの景品当選者を選定する（ステップＳ６）。
【００８４】
例えば、抽選処理手段２１４は、所定の抽選用の乱数に基づいて抽選処理を実行する。この場合、キャンペーン管理サーバ２０１は、例えば、所定の判定値を含む判定テーブルを備え、抽選処理手段２１４は、抽選用乱数の値が判定テーブルに含まれる判定値と合致するか否かを判定することによって、識別情報（本例では、ＵＩＤ）に対応する顧客１００が当選したか否かを判定する。
【００８５】
なお、ステップＳ６において、抽選処理手段２１４は、同一の識別情報を複数回受信したか否かを判断する。また、抽選処理手段２１４は、同一の識別情報を複数回受信したと判断すると、その識別情報を最初に送信した携帯電話機１０１がいずれであるかを判断する。そして、抽選処理手段２１４は、識別情報を最初に送信したと判断した携帯電話機１０１の顧客１００に対してのみ、景品の抽選処理を実行する。すなわち、抽選処理手段２１４は、２番目以降に受信した識別情報については、不正に取得された識別情報であると判断して、景品の抽選処理を実行しない。
【００８６】
例えば、キャンペーン管理サーバ２０１は、携帯電話機１０１から識別情報を受信する毎に、受信した識別情報を受信日時に対応づけて顧客データベース２０２に記憶させる。この場合、ステップＳ６において、抽選処理手段２１４は、顧客データベース２０２が蓄積する識別情報に基づいて、同一の識別情報が既に顧客データベース２０２に複数記憶されているか否かを判断する。抽選処理手段２１４は、同一の識別情報が複数記憶されていると判断すると、顧客データベース２０２が蓄積する識別情報のうち、受信日時が最も早い情報を特定する。そして、抽選処理手段２１４は、特定した識別情報に対応する携帯電話機１０１の顧客１００に対して、景品の抽選処理を実行する。
【００８７】
また、例えば、抽選処理手段２１４は、キャンペーン景品当選者の携帯電話機１０１に対して、景品に当選した旨の結果及び顧客情報の送信要求を、通信ネットワークを介して送信する。携帯電話機１０１は、顧客１００の操作に従って、顧客情報を入力する。そして、携帯電話機１０１は、入力した顧客情報を、通信ネットワークを介してキャンペーン管理サーバ２０１に送信する。
【００８８】
キャンペーン管理サーバ２０１の顧客情報受信手段２１２は、携帯電話機１０１から、通信ネットワークを介して顧客情報を受信する。すると、顧客情報登録手段２１３は、顧客１００の顧客１００から受信した顧客情報を受け付ける（ステップＳ８）。また、顧客情報登録手段２１３は、受信した顧客情報を顧客データベース２０２に送信（又は出力）して、顧客データベースを作成する（ステップＳ９）。この場合、顧客情報登録手段２１３は、ステップＳ５でＩＤ受信手段２１１が受信した識別情報及び受信日時に対応付けて、顧客情報を顧客データベース２０２に記憶させる。
【００８９】
そして、抽選処理手段２１４は、景品配送手段２０３に、景品の配送に必要となる情報（例えば、配送先の顧客１００の住所や電子メールアドレス）を送信する。
【００９０】
なお、一度キャンペーンの景品当選者の選定作業に使用された情報記憶手段５００内の識別情報は、キャンペーン応募手続きに対する使用済み登録等が行われて、それ以後再度キャンペーン管理サーバ２０１に送信されてもキャンペーン応募手続きに使用できなくなる。例えば、ステップＳ９において、顧客情報登録手段２１３は、識別情報に対応付けて、その識別情報が応募手続きに使用済みである旨の使用済み情報を、顧客データベース２０２に記憶させる。この場合、例えば、キャンペーン管理サーバ２０１は、携帯電話機１０１から同じ識別情報を再度受信すると、顧客データベース２０２が記憶する使用済み情報に基づいて、受信した識別情報が使用済みであるか否かを判定する。使用済みであると判定すると、キャンペーン管理サーバ２０１は、受信した識別情報の受付けを拒否し、景品の抽選処理に用いないように制御する。
【００９１】
また、本実施の形態では、キャンペーン実施後に顧客１００の携帯電話機１０１からキャンペーン管理サーバ２０１に顧客情報を送信する場合を説明したが、キャンペーン実施前の段階において、顧客１００の携帯電話機１０１からキャンペーン管理サーバ２０１に顧客情報を送信してもよい。
【００９２】
景品配送手段２０３は、キャンペーン管理サーバ２０１や顧客データベース２０２から受信（又は入力）した情報に基づいて、顧客１００に対する景品の送付処理を実行する（ステップＳ１０）。例えば、景品配送手段２０３は、顧客１００に対して景品を送付する旨の情報を表示し、配送部門の担当者に景品の配送を促す。また、景品が電子データである場合には、景品配送手段２０３は、景品である電子データを、通信ネットワークを介して携帯電話機１０１に送信する。
【００９３】
なお、本実施の形態では、キャンペーン商品の開封により情報記憶手段５００の機能を回復させることによって、購入していないキャンペーン対象商品に付随する情報記憶手段５００から情報を読み取りキャンペーン応募手続きに使用する行為を防ぐ例を説明したが、不正な応募手続きを防止する方法は、本実施の形態で示したものに限られない。図６は、情報記憶手段が付随されている商品の他の例を示す説明図である。
【００９４】
図６（ａ）に示すように、商品において、情報記憶手段６００の一部分６０１をペットボトル飲料容器のふた４００に付随させるとともに、情報記憶手段６００の残りの部分６０２をペットボトル飲料容器３００に付随させるようにしてもよい。すなわち、情報記憶手段６００は、商品の複数の部分にまたがった状態で商品に付随する。そのようにすることにより、キャンペーン商品の開封によって、図６（ｂ）に示すように、情報記憶手段６００が２つに切断される。すなわち、情報記憶手段６００は、商品が使用時に複数の部分に分離されると切断され、情報記憶手段６００の機能が停止される。そして、購入していないキャンペーン対象商品に付随する情報記憶手段６００から情報を読み取り、キャンペーン応募手続きに使用する行為を防ぐことができる。
【００９５】
図６に示すように、情報記憶手段６００の一部分６０１をペットボトル飲料容器のふた４００に付随させ、情報記憶手段６００の残りの部分６０２をペットボトル飲料容器３００に付随させる場合、例えば、ペットボトル飲料容器３００を顧客１００が開封することによって、情報記憶手段６００は、ペットボトル飲料容器のふた４００に付随する部分６０１と、ペットボトル飲料容器３００に付随する残りの部分６０２との２つに分離される。この場合、例えば、情報記憶手段６００の一部分６０１がアンテナの一部分であった場合、情報記憶手段６００は、アンテナの一部分を失うことになり、リーダ又はリーダライタ（Ｒ／Ｗ）から送信される電波又は電磁波を正常に受信できなくなる。そのため、情報記憶手段６００は機能を停止し、リーダ又はリーダライタ（Ｒ／Ｗ）を用いた情報の読み出しができなくなる。
【００９６】
また、図６に示す例では、同一の商品に取り付けられた情報記憶手段６００から同一の識別情報が複数回キャンペーンの応募に用いられた場合、最後（情報記憶手段６００が機能を停止する直前）に識別情報を送信した携帯電話機１０１の顧客１００が正規の商品の購入者と考えられる。すなわち、情報記憶手段６００が機能を停止する以前に送信された識別情報は、商品を購入していないにもかかわらず、その商品の情報記憶手段６００から情報を読み取って応募したものである可能性が高い。
【００９７】
そこで、ステップＳ６において、抽選処理手段２１４は、同一の識別情報を複数回受信したか否かを判断する。また、抽選処理手段２１４は、同一の識別情報を複数回受信したと判断すると、その識別情報を最後に送信した携帯電話機１０１がいずれであるかを判断する。そして、抽選処理手段２１４は、識別情報を最後に送信したと判断した携帯電話機１０１の顧客１００に対してのみ、景品の抽選処理を実行する。すなわち、抽選処理手段２１４は、最後に受信した識別情報以外の識別情報については、不正に取得された識別情報であると判断して、景品の抽選処理を実行しない。
【００９８】
例えば、キャンペーン管理サーバ２０１は、携帯電話機１０１から識別情報を受信する毎に、受信した識別情報を受信日時に対応づけて顧客データベース２０２に記憶させる。この場合、ステップＳ６において、抽選処理手段２１４は、顧客データベース２０２が蓄積する識別情報に基づいて、同一の識別情報が既に顧客データベース２０２に複数記憶されているか否かを判断する。抽選処理手段２１４は、同一の識別情報が複数記憶されていると判断すると、顧客データベース２０２が蓄積する識別情報のうち、受信日時が最も遅い情報を特定する。そして、抽選処理手段２１４は、特定した識別情報に対応する携帯電話機１０１の顧客１００に対して、景品の抽選処理を実行する。
【００９９】
なお、図６に示す例では、情報記憶手段６００の一部分６０１がアンテナの一部分である場合を説明したが、情報記憶手段６００のペットボトル飲料容器３００への付随の仕方は、本実施の形態で示したものに限られない。例えば、ペットボトル飲料容器のふた４００に付随する情報記憶手段６００の一部分６０１がＩＣチップであり、ペットボトル飲料容器３００に付随する情報記憶手段６００の残りの部分６０２がアンテナであってもよい。
【０１００】
また、例えば、ペットボトル飲料容器のふた４００に付随する情報記憶手段６００の一部分６０１がアンテナであり、ペットボトル飲料容器３００に付随する情報記憶手段６００の残りの部分６０２がＩＣチップであってもよい。
【０１０１】
本実施の形態では、例えば、商品を購入して開封する顧客１００のみが、商品に付随する情報記憶手段６００内の識別情報を、情報記憶手段６００が機能を停止する前の最後の機会に取得することが可能であることを利用する。例えば、キャンペーン管理サーバ２０１は、キャンペーンの期間中に同一の識別情報を複数回受信したとしても、キャンペーン期間中の最後に識別情報を送信した携帯電話機１０１の顧客が、商品を購入してキャンペーン応募手続きを行う者であると判断できる。そして、キャンペーン管理サーバ２０１は、それ以前に識別情報を送信した携帯電話機１０１の顧客が、購入していない商品に付属する情報記憶手段６００から識別情報を読み取り、キャンペーン応募手続きに使用している者であると判断することができる。
【０１０２】
従って、キャンペーン期間中の最後に識別情報を送信した携帯電話機１０１の顧客のキャンペーン応募手続きのみを受け付けることによって、購入していない商品に付随する情報記憶手段６００から識別情報を読み取り、キャンペーン応募手続きに使用する行為を防止することができる。
【０１０３】
また、本実施の形態では、商品の開封以後は、商品に付随する情報記憶手段内の情報をキャンペーン応募手続きに使用することが不可能となる。
【０１０４】
なお、本実施の形態では、情報記憶手段６００がＲＦＩＤタグである場合を説明したが、情報記憶手段６００は、ＲＦＩＤタグ以外の記憶手段でってもよい。また、情報記憶手段６００は、例えば、二次元バーコードや一次元バーコードであってもよい。
【０１０５】
また、本実施の形態では、図３に示すように、顧客７００は、店舗／メーカ８００から商品及び商品に付随する情報記憶手段７０１内の情報を購入する。また、顧客７００は、情報読取手段７０２を用いて、商品に付随する情報記憶手段７０１内の情報の読み取り操作を行う。その後、顧客７００は、情報読取手段７０２を操作して、店舗／メーカ８００に対して商品に付随する情報記憶手段７０１内の情報を送信する。そして、顧客７００は、その対価として、店舗／メーカ８００のサービス提供手段８０１から各種サービスを享受する機会を得る。
【０１０６】
以上のように、本実施の形態によれば、情報記憶手段５００は、接地線５０１に接続された状態（又は短絡された状態）で商品に付随し、ペットボトル飲料容器３００のふた４００が開封されると、接地線５０１（又は短絡箇所）が情報記憶手段５００から切断される。商品の開封操作を行うことによって情報記憶手段５００から識別情報の読み取りが可能となるので、商品を正規に購入した顧客１００のみがキャンペーンに応募することができる。従って、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる。
【０１０７】
また、本実施の形態によれば、情報記憶手段６００は、ペットボトル飲料容器３００とふた４００とにまたがった状態で商品に付随し、ペットボトル飲料容器３００のふた４００が開封されると切断される。商品の開封操作を行うことによって情報記憶手段５００から識別情報の読み取りができなくなるので、商品を正規に購入した顧客１００がキャンペーンに応募した後には、同じ識別情報を用いてキャンペーンに応募することができなくなる。従って、購入していない商品に付随する情報記憶手段内の情報の読取り操作を行ったり、拾得した商品に付随する情報記憶手段から情報の読取り操作を行ったりして得た情報を、キャンペーンの応募に使用する行為を防止できる。
【０１０８】
また、本実施の形態によれば、商品を購入する意思のない者が購入していない商品に付随する情報記憶手段内の情報を取得してキャンペーンの応募に使用する行為や、キャンペーン応募手続きへの使用が完了した情報記憶手段内の情報が、再度キャンペーン応募に使用されることを防止することができる。そのようにすることによって、購入した商品や贈与された商品等を使用する者にのみキャンペーンへの参加資格を与えることができる。そのような効果は、商品に付随する情報記憶手段が、商品の開封と同時に、情報記憶手段内の情報を発信する機能を停止したり、回復したりすることに起因する。
【産業上の利用可能性】
【０１０９】
本発明は、コンビニエンスストアやスーパーマーケット等の店舗において、販売促進用にキャンペーンを行う等のサービスを提供するサービス提供システムの用途に適用できる。
【図面の簡単な説明】
【０１１０】
【図１】本発明による情報提供システムの構成の一例を示すブロック図である。
【図２】キャンペーン管理サーバ２０１の構成の一例を示すブロック図である。
【図３】情報提供システムを用いて提供される情報提供サービスの例を示す説明図である。
【図４】情報記憶手段が付随されている商品の一例を示す説明図である。
【図５】携帯電話機からの応募に応じて景品を顧客に配送する処理の一例を示す流れ図である。
【図６】情報記憶手段が付随されている商品の他の例を示す説明図である。
【図７】従来のキャンペーン用のツールを使用して販売促進を行う場合の例を示す説明図である。
【符号の説明】
【０１１１】
１００  顧客
１０１  携帯電話機
１０２  入力手段
１０３  読取手段
１０４  送受信手段
１０５  表示手段
１０６  制御手段
２００  店舗／メーカ
２０１  キャンペーン管理サーバ
２０２  顧客データベース
２０３  景品配送手段
２１１  ＩＤ受信手段
２１２  顧客情報受信手段
２１３  顧客情報登録手段
２１４  抽選処理手段
３００  ペットボトル飲料容器
４００  ペットボトル飲料容器のふた
５００  情報記憶手段
５０１  接地線
【図１】
0004609361.tif 000002
【図２】
0004609361.tif 000003
【図３】
0004609361.tif 000004
【図４】
0004609361.tif 000005
【図５】
0004609361.tif 000006
【図６】
0004609361.tif 000007
【図７】
0004609361.tif 000008